(57)【要約】【課題】レーザー通信ネットワークの中継ノードでの通信規格の互換性を大幅に向上させ、システムの性能アップグレードの価格及びリソースコストを削減させる。【解決手段】本システムは、制御コマンドユニット、低雑音高利得光増幅器、光スイッチ、フィルタ、光遅延干渉計Ｉ、光遅延干渉計Ｑ、第１バランス検出器、第２バランス検出器、逆コーディングスイッチユニット、パラレル／シリアル変換ユニット及びデータ処理ユニットを備え、制御コマンドユニットはそれぞれ光スイッチ、逆コーディングスイッチユニット、パラレル／シリアル変換スイッチユニットに接続され、低雑音高利得光増幅器は光スイッチに接続され、光スイッチはそれぞれフィルタ、光遅延干渉計Ｉ及び光遅延干渉計Ｑによって第１バランス検出器及び第２バランス検出器に接続され、第１バランス検出器、第２バランス検出器は逆コーディングスイッチユニット、パラレル／シリアル変換ユニット、データ処理ユニットを順次通過して電気信号を出力する。【選択図】図１
2021516519.tif 000002
【特許請求の範囲】
【請求項１】
多変調フォーマットの互換性を備えた高速レーザー信号位相ロックフリー受信システムであって、制御コマンドユニット、低雑音高利得光増幅器、光スイッチ、フィルタ、光遅延干渉計Ｉ、光遅延干渉計Ｑ、第１バランス検出器、第２バランス検出器、逆コーディングスイッチユニット、パラレル／シリアル変換ユニット及びデータ処理ユニットを備え、
前記制御コマンドユニットはそれぞれ前記光スイッチ、前記逆コーディングスイッチユニット、前記パラレル／シリアル変換スイッチユニットに接続され、
前記光遅延干渉計Ｉ、前記光遅延干渉計Ｑは並列接続して設けられ、
高速レーザー信号は前記低雑音高利得光増幅器によって前記光スイッチに入力され、
前記光スイッチは第１出力ポート、第２出力ポート及び第３出力ポートを備え、前記第１出力ポートが前記フィルタに接続され、前記第２出力ポートが前記光遅延干渉計Ｉに接続され、前記第３出力ポートがカプラーを通過してそれぞれ前記光遅延干渉計Ｉ及び前記光遅延干渉計Ｑに接続され、
前記フィルタは前記第１バランス検出器の１つの入力ポートに接続され、前記光遅延干渉計Ｉの２つの出力ポートは前記第１バランス検出器の２つの入力ポートに接続され、前記光遅延干渉計Ｑの２つの出力ポートは前記第２バランス検出器の２つの入力ポートに接続され、
前記第１バランス検出器、前記第２バランス検出器は前記逆コーディングスイッチユニット、前記パラレル／シリアル変換ユニット、前記データ処理ユニットを順次通過して電気信号を出力し、
前記光遅延干渉計Ｉと前記光遅延干渉計Ｑとの位相シフト差がπ／２であることを特徴とする多変調フォーマットの互換性を備えた高速レーザー信号位相ロックフリー受信システム。
【請求項２】
ループ制御ユニットをさらに備え、
前記データ処理ユニットは前記ループ制御ユニットによってそれぞれ前記光遅延干渉計Ｉ及び前記光遅延干渉計Ｑに接続されることを特徴とする請求項１に記載の多変調フォーマットの互換性を備えた高速レーザー信号位相ロックフリー受信システム。
【請求項３】
前記低雑音高利得光増幅器は雑音係数≦４．５ｄＢ、利得≧４０ｄＢの１５５０ｎｍバンド光増幅器であり、
前記光スイッチは１×３型１５５０ｎｍバンドの光学スイッチデバイスであり、変調フォーマットコマンドに応じて、入力された光信号をいずれかの指定された出力ポートにトランスペアレント伝送することができ、
前記フィルタは中心波長及びフィルタリング帯域幅がいずれも調整可能な１５５０ｎｍバンドのバンドパス光学フィルタであり、
前記光遅延干渉計Ｉ及び前記光遅延干渉計Ｑは１５５０ｎｍバンドの１−ｂｉｔ光遅延干渉計であり、
前記第１バランス検出器及び前記第２バランス検出器は１５５０ｎｍバンドの光バランス検出器であることを特徴とする請求項２に記載の多変調フォーマットの互換性を備えた高速レーザー信号位相ロックフリー受信システム。
【請求項４】
請求項１に記載の多変調フォーマットの互換性を備えた前記高速レーザー信号位相ロックフリー受信システムに基づく信号受信方法であって、
前記制御コマンドユニットは必要な高速レーザー信号の変調フォーマットに応じて、対応する変調コマンドを前記光スイッチ、前記逆コーディングスイッチユニット及び前記パラレル／シリアル変換ユニットに送信するステップ[１]と、
前記低雑音高利得光増幅器は入力された高速レーザー信号に対して低雑音係数、高電力利得の光電力増幅処理を行うステップ[２]と、
前記光スイッチは前記制御コマンドユニットにより発生した変調コマンドを受信すると、前記ステップ[２]で処理された高速レーザー信号に対して出力ポート選択を行い、トランスペアレント伝送を行うステップ[３]と、
前記ステップ[３]で異なる出力ポートから出力された異なる変調フォーマットの高速レーザー信号に対して、前記フィルタ又は前記光遅延干渉計Ｉ又は前記光遅延干渉計Ｑを選択して情報復調を行うステップ[４]と、
前記ステップ[４]で復調された異なる変調フォーマットの高速レーザー信号を受信し、前記第１バランス検出器又は前記第２バランス検出器を選択して光電変換を行って高速電気信号を形成するステップ[５]と、
前記逆コーディングスイッチユニットは前記制御コマンドユニットにより発生した変調コマンドを受信すると、前記ステップ[５]で発生した高速電気信号に対して逆コーディング判断を行い、前記パラレル／シリアル変換ユニットに伝送するステップ[６]と、
前記パラレル／シリアル変換ユニットは前記制御コマンドユニットにより発生した変調フォーマットコマンドを受信すると、高速電気信号に対してパラレル／シリアル変換判断を行い、前記データ処理ユニットに伝送して処理するステップ[７]と、
前記データ処理ユニットは前記ステップ[７]で発生した高速電気信号に対してクロック抽出、データ整形等の処理を行って、品質が良好な復調後の高速電気信号を出力するステップ[８]と、を含むことを特徴とする多変調フォーマットの互換性を備えた高速レーザー信号位相ロックフリー受信システムに基づく信号受信方法。
【請求項５】
ループ制御ユニットは前記ステップ[７]で発生した高速電気信号をフィードバック制御信号とし、前記光遅延干渉計Ｉ及び前記光遅延干渉計Ｑの位相シフトを制御し、それらの位相差を終始π／２に維持するループ制御ステップ[９]をさらに含むことを特徴とする請求項４に記載の多変調フォーマットの互換性を備えた高速レーザー信号位相ロックフリー受信システムに基づく信号受信方法。
【請求項６】
前記ステップ[３]では、出力ポート選択の具体的なプロセスは、
受信した変調フォーマットコマンドがＩＭである場合、前記第１出力ポートから出力され、受信した変調フォーマットコマンドがＢＰＳＫ、ＤＰＳＫのうちのいずれかである場合、前記第２出力ポートから出力され、受信した変調フォーマットコマンドがＱＰＳＫ、ＤＱＰＳＫのうちのいずれかである場合、前記第３出力ポートから出力されるステップを含むことを特徴とする請求項４又は５に記載の多変調フォーマットの互換性を備えた高速レーザー信号位相ロックフリー受信システムに基づく信号受信方法。
【請求項７】
前記ステップ[４]では、情報復調の具体的な選択条件は、
ＩＭ変調フォーマットである場合、前記フィルタによってバンドパスフィルタリングを行うステップと、
ＢＰＳＫ、ＤＰＳＫ変調フォーマットのうちのいずれかである場合、前記光遅延干渉計Ｉによって１−ｂｉｔ遅延干渉復調を行うステップと、
ＱＰＳＫ、ＤＱＰＳＫ変調フォーマットのうちのいずれかである場合、カプラーによって前記光遅延干渉計Ｉ及び前記光遅延干渉計Ｑに入り、それぞれ１−ｂｉｔ遅延干渉復調を行うステップと、を含むことを特徴とする請求項４又は５に記載の多変調フォーマットの互換性を備えた高速レーザー信号位相ロックフリー受信システムに基づく信号受信方法。
【請求項８】
前記ステップ[５]では、光電変換の選択条件は、
ＩＭ変調フォーマットを受信した場合、前記第１バランス検出器の１つの入力ポートによって光電変換を行うステップと、
ＢＰＳＫ、ＤＰＳＫ変調フォーマットのうちのいずれかを受信した場合、前記第１バランス検出器によって光電変換を行うステップと、
ＱＰＳＫ、ＤＱＰＳＫ変調フォーマットのうちのいずれかを受信した場合、前記第１バランス検出器及び前記第２バランス検出器によって光電変換を行うステップと、を含むことを特徴とする請求項４又は５に記載の多変調フォーマットの互換性を備えた高速レーザー信号位相ロックフリー受信システムに基づく信号受信方法。
【請求項９】
前記ステップ[６]では、逆コーディング判断プロセスは、
受信した変調フォーマットコマンドがＢＰＳＫ、ＱＰＳＫのうちのいずれかである場合、「排他的論理和」論理に基づく差分逆コーディング処理を行って出力するステップと、
受信した変調フォーマットコマンドがＩＭ、ＤＰＳＫ、ＤＱＰＳＫのうちのいずれかである場合、トランスペアレント伝送を行うステップと、を含むことを特徴とする請求項４又は５に記載の多変調フォーマットの互換性を備えた高速レーザー信号位相ロックフリー受信システムに基づく信号受信方法。
【請求項１０】
前記ステップ[７]では、パラレル／シリアル変換判断プロセスは、
受信した変調フォーマットコマンドがＱＰＳＫ、ＤＱＰＳＫのうちのいずれかである場合、入力された２つのパラレル高速電気信号を１つのシリアル高速電気信号に変換するステップと、
受信した変調フォーマットコマンドがＩＭ、ＢＰＳＫ、ＤＰＳＫのうちのいずれかである場合、トランスペアレント伝送を行うステップと、を含むことを特徴とする請求項４又は５に記載の多変調フォーマットの互換性を備えた高速レーザー信号位相ロックフリー受信システムに基づく信号受信方法。
【発明の詳細な説明】
【技術分野】
【０００１】
本発明はレーザー通信分野に属し、具体的には、多変調フォーマットの互換性を備えた高速レーザー信号位相ロックフリー受信システム及び方法に関する。
【背景技術】
【０００２】
レーザー通信はデータレートが高く、干渉防止及び傍受防止能力が高く、機密性に優れた等の顕著な利点を有し、地上バックボーンネットワーク伝送の主なリンク形式となっており、商用１００Ｇ光モジュールは徐々に成熟しており、２０１８年、ＯＦＣカンファレンスでは４００Ｇ光モジュールが展示された。また、世界における宇宙レーザーリンク伝送の実現可能性の検証を重ねたところ、近年、世界各国はレーザーリンクに基づく宇宙情報ネットワーク構築計画を相次いで打ち出し、例えば、米国ＮＡＳＡの「レーザー通信中継デモンストレーション（ＬＣＲＤ）」計画、欧州宇宙機関（ＥＳＡ）の「データ中継システム（ＥＤＲＳ）」計画、日本宇宙航空研究開発機構（ＪＡＸＡ）によって構築された「光データ中継衛星（ＪＤＲＳ）」計画が挙げられる。中国２０１６年に打ち上げられた墨子号も、２０１７年に打ち上げられた実践１３号衛星等もレーザー通信端末が搭載されていた。
【０００３】
地上の大容量光伝送バックボーンネットワークでも、宇宙の高速レーザー通信システムでも、異なるアクセス端末はそれ自体のデータ伝送のニーズに応じて、異なるデータ変調フォーマットを選択する。例えば、強度変調（ＩＭ）フォーマットのシステムは構造が最も簡単であるが、受信システムの光電力に対する要件が高く、２相位相偏移変調フォーマット（ＢＰＳＫ、ＤＰＳＫ）の受信システムの感度はＩＭシステムよりも半分低下するが、バランス検出技術を必要とし、より高次の変調フォーマット（ＱＰＳＫ、ＤＱＰＳＫ）は同一のシンボルレートで、より多くのデータを伝送できるが、システムの複雑さが向上し、受信システムの光信号対雑音比に対する要件がさらに高い。
【０００４】
従来のレーザー通信システムでは、中継ノードにおける単一のレーザー端末が１種の特定の変調フォーマットのレーザー信号の受信のみをサポートでき、異なる変調フォーマットのレーザーリンクがレーザー情報ネットワークの中継ノードにアグリゲーションする場合、従来の受信方式では、データの復調を実現するように、変調フォーマットごとに対応する受信システムを設置する必要がある。中継ノードでは単一規格のレーザー信号の受信方式は高速レーザー情報ネットワークノードの互換性及び拡張性を制限し、また、中継ノードで複数種の高速レーザー信号の中継をサポートするために、通信規格ごとに１つのレーザー通信端末を個別に設置する必要があり、システムの性能アップグレードの価格コスト及びリソースコストは巨大である。
【発明の概要】
【発明が解決しようとする課題】
【０００５】
従来のレーザー情報ネットワークでは中継ノードが単一のレーザー通信規格のみをサポートすることによってネットワークの互換性が制限され拡張性が悪いという問題を克服するために、本発明はＩＭ、ＢＰＳＫ、ＤＰＳＫ、ＱＰＳＫ及びＤＱＰＳＫ等のレーザー通信システムにおける主流の多変調フォーマットの互換性を備えた高速レーザー信号位相ロックフリー受信システム及び方法を提供し、従来のレーザー通信ネットワークの中継ノードでの通信規格の互換性を大幅に向上させ、システムの性能アップグレードの価格及びリソースコストを削減させることができる。
【課題を解決するための手段】
【０００６】
本発明は多変調フォーマットの互換性を備えた高速レーザー信号位相ロックフリー受信システムを提供し、制御コマンドユニット、低雑音高利得光増幅器、光スイッチ、フィルタ、光遅延干渉計Ｉ、光遅延干渉計Ｑ、第１バランス検出器、第２バランス検出器、逆コーディングスイッチユニット、パラレル／シリアル変換ユニット及びデータ処理ユニットを備え、
前記制御コマンドユニットはそれぞれ前記光スイッチ、前記逆コーディングスイッチユニット、前記パラレル／シリアル変換スイッチユニットに接続され、
前記光遅延干渉計Ｉ、前記光遅延干渉計Ｑは並列接続して設けられ、
高速レーザー信号は前記低雑音高利得光増幅器によって前記光スイッチに入力され、
前記光スイッチは第１出力ポート、第２出力ポート及び第３出力ポートを備え、前記第１出力ポートが前記フィルタに接続され、前記第２出力ポートが前記光遅延干渉計Ｉに接続され、前記第３出力ポートがカプラーを通過してそれぞれ前記光遅延干渉計Ｉ及び前記光遅延干渉計Ｑに接続され、
前記フィルタは前記第１バランス検出器の１つの入力ポートに接続され、前記光遅延干渉計Ｉの２つの出力ポートは前記第１バランス検出器の２つの入力ポートに接続され、前記光遅延干渉計Ｑの２つの出力ポートは前記第２バランス検出器の２つの入力ポートに接続され、
前記第１バランス検出器、前記第２バランス検出器は前記逆コーディングスイッチユニット、前記パラレル／シリアル変換ユニット、前記データ処理ユニットを順次通過して電気信号を出力し、
前記光遅延干渉計Ｉと前記光遅延干渉計Ｑとの位相シフト差はπ／２である。
【０００７】
さらに、該システムはループ制御ユニットを備え、前記データ処理ユニットは前記ループ制御ユニットによってそれぞれ前記光遅延干渉計Ｉ及び前記光遅延干渉計Ｑに接続される。
【０００８】
さらに、前記低雑音高利得光増幅器は、雑音係数≦４．５ｄＢ、利得≧４０ｄＢの１５５０ｎｍバンドの光増幅器であり、
前記光スイッチは１×３型１５５０ｎｍバンドの光学スイッチデバイスであり、変調フォーマットコマンドに応じて、入力された光信号をいずれかの指定された出力ポートにトランスペアレント伝送することができ、
前記フィルタは中心波長及びフィルタリング帯域幅がいずれも調整可能な１５５０ｎｍバンドのバンドパス光学フィルタであり、
前記光遅延干渉計Ｉ及び前記光遅延干渉計Ｑは１５５０ｎｍバンドの１−ｂｉｔ光遅延干渉計であり、
前記第１バランス検出器及び前記第２バランス検出器は１５５０ｎｍバンドの光バランス検出器である。
【０００９】
多変調フォーマットの互換性を備えた高速レーザー信号位相ロックフリー受信システムの構造説明に基づいて、以下、該システムを用いた信号受信方法を説明し、
前記制御コマンドユニットは必要な高速レーザー信号の変調フォーマットに応じて、対応する変調コマンドを前記光スイッチ、前記逆コーディングスイッチユニット及び前記パラレル／シリアル変換ユニットに送信するステップ[１]と、
前記低雑音高利得光増幅器は入力された高速レーザー信号に対して低雑音係数、高電力利得の光電力増幅処理を行うステップ[２]と、
前記光スイッチは前記制御コマンドユニットにより発生した変調コマンドを受信すると、前記ステップ[２]で処理された高速レーザー信号に対して出力ポート選択を行い、トランスペアレント伝送を行うステップ[３]と、
前記ステップ[３]で異なる出力ポートから出力された異なる変調フォーマットの高速レーザー信号に対して、前記フィルタ又は前記光遅延干渉計Ｉ又は前記光遅延干渉計Ｑを選択して情報復調を行うステップ[４]と、
前記ステップ[４]で復調された異なる変調フォーマットの高速レーザー信号を受信し、前記第１バランス検出器又は前記第２バランス検出器を選択して光電変換を行って高速電気信号を形成するステップ[５]と、
前記逆コーディングスイッチユニットは前記制御コマンドユニットにより発生した変調コマンドを受信すると、前記ステップ[５]で発生した高速電気信号に対して逆コーディング判断を行い、前記パラレル／シリアル変換ユニットに伝送するステップ[６]と、
前記パラレル／シリアル変換ユニットは前記制御コマンドユニットにより発生した変調フォーマットコマンドを受信すると、高速電気信号に対してパラレル／シリアル変換判断を行い、前記データ処理ユニットに伝送して処理するステップ[７]と、
前記データ処理ユニットは前記ステップ[７]で発生した高速電気信号に対してクロック抽出、データ整形等の処理を行って、品質が良好な復調後の高速電気信号を出力するステップ[８]と、を含む。
【００１０】
好ましくは、前記方法は、ループ制御ステップ[９]をさらに備え、前記ループ制御ユニットは前記ステップ[７]で発生した高速電気信号をフィードバック制御信号とし、前記光遅延干渉計Ｉ及び前記光遅延干渉計Ｑの位相シフトを制御し、それらの位相差を終始π／２に維持する。
【００１１】
前記ステップ[３]では、出力ポート選択の具体的なプロセスは、
受信した変調フォーマットコマンドがＩＭである場合、前記第１出力ポートから出力され、受信した変調フォーマットコマンドがＢＰＳＫ、ＤＰＳＫのうちのいずれかである場合、前記第２出力ポートから出力され、受信した変調フォーマットコマンドがＱＰＳＫ、ＤＱＰＳＫのうちのいずれかである場合、前記第３出力ポートから出力されるステップを含む。
【００１２】
前記ステップ[４]では、情報復調の具体的な選択条件は、
ＩＭ変調フォーマットである場合、前記フィルタによってバンドパスフィルタリングを行うステップと、
ＢＰＳＫ、ＤＰＳＫ変調フォーマットのうちのいずれかである場合、前記光遅延干渉計Ｉによって１−ｂｉｔ遅延干渉復調を行うステップと、
ＱＰＳＫ、ＤＱＰＳＫ変調フォーマットのうちのいずれかである場合、カプラーによって前記光遅延干渉計Ｉ及び前記光遅延干渉計Ｑに入り、それぞれ１−ｂｉｔ遅延干渉復調を行うステップと、を含む。
【００１３】
前記ステップ[５]では、光電変換の選択条件は、
ＩＭ変調フォーマットを受信した場合、前記第１バランス検出器の１つの入力ポートによって光電変換を行うステップと、
ＢＰＳＫ、ＤＰＳＫ変調フォーマットのうちのいずれかを受信した場合、前記第１バランス検出器によって光電変換を行うステップと、
ＱＰＳＫ、ＤＱＰＳＫ変調フォーマットのうちのいずれかを受信した場合、前記第１バランス検出器及び前記第２バランス検出器によって光電変換を行うステップと、を含む。
【００１４】
前記ステップ[６]では、逆コーディング判断プロセスは、
受信した変調フォーマットコマンドがＢＰＳＫ、ＱＰＳＫのうちのいずれかである場合、「排他的論理和」論理に基づく差分逆コーディング処理を行って出力するステップと、
受信した変調フォーマットコマンドがＩＭ、ＤＰＳＫ、ＤＱＰＳＫのうちのいずれかである場合、トランスペアレント伝送を行うステップと、を含む。
【００１５】
前記ステップ[７]では、パラレル／シリアル変換判断プロセスは、
受信した変調フォーマットコマンドがＱＰＳＫ、ＤＱＰＳＫのうちのいずれかである場合、入力された２つのパラレル高速電気信号を１つのシリアル高速電気信号に変換するステップと、
受信した変調フォーマットコマンドがＩＭ、ＢＰＳＫ、ＤＰＳＫのうちのいずれかである場合、トランスペアレント伝送を行うステップと、を含む。
【発明の効果】
【００１６】
（１）本発明に係る多変調フォーマットの互換性を備えた高速レーザー信号受信システム及び方法は、レーザー情報ネットワークの中継ノードで通信規格の互換性及びデータレートの拡張性の向上を実現するとともに、レーザー受信端末の体積、重量、消費電力及び価格コストの制御に寄与する。
【００１７】
（２）本発明は、光スイッチ及び並列接続に設けられた光遅延干渉計Ｉ、光遅延干渉計Ｑを使用することで、ＩＭ、ＢＰＳＫ、ＤＰＳＫ、ＱＰＳＫ、ＤＱＰＳＫ等の５種のレーザー通信規格の互換性を備えた高速レーザー信号の受信復調を実現し、コアデバイスの共有率を大幅に向上させ、複数種の通信規格の互換性を備えた受信端末の複雑さを大幅に低下させる。
【００１８】
（３）本発明は、逆コーディングスイッチユニット及び２つの並列接続された光遅延干渉計を組み合わせて使用することで、ＢＰＳＫ、ＱＰＳＫ変調フォーマットの互換性備えた復調を実現し、いずれの位相ロック機構も不要であり、デバイス成熟度が高く、ループ制御が簡単で、プロセス実現リスクが低い等の優れた利点を有する。
【００１９】
（４）本発明は２つの並列接続された光遅延干渉計を使用することで４種の位相変調レーザー通信規格の互換性を備えた高速レーザー信号のアナログ復調を実現し、データ復調レートも適応的に互換性を備え、すなわち、異なるデータレート（例えば、１．２５Ｇｂｉｔ／ｓ、２．５Ｇｂｉｔ／ｓさらに１０Ｇｂｉｔ／ｓ）の位相変調レーザー信号に対して適応的なアナログ復調を行うことができ、高速レーザー通信受信機の互換性をさらに向上させる。
【図面の簡単な説明】
【００２０】
【図１】本発明のシステムの原理模式図である。
【図２】光遅延干渉計の復調の原理模式図である。
【図３】光遅延干渉計Ｉ及び光遅延干渉計Ｑを並列接続した後の復調の原理模式図である。
【発明を実施するための形態】
【００２１】
図１に示されるシステムの一実施例の原理模式を参照しながら、該実施例の具体的なシステムの構造は、主に制御コマンドユニット、低雑音高利得光増幅器、光スイッチ、フィルタ、光遅延干渉計Ｉ、光遅延干渉計Ｑ、バランス検出器１＃（すなわち、第１バランス検出器）、バランス検出器２＃（すなわち、第２バランス検出器）、逆コーディングスイッチユニット、パラレル／シリアル変換ユニット、データ処理ユニット及びループ制御ユニットを備え、
制御コマンドユニットはそれぞれ光スイッチ、逆コーディングスイッチユニット、パラレル／シリアル変換スイッチユニットに接続され、
光遅延干渉計Ｉ、光遅延干渉計Ｑは並列接続して設けられ、
高速レーザー信号は低雑音高利得光増幅器によって光スイッチに入力され、
光スイッチはポート「１」（すなわち、第１出力ポート）、ポート「２」（すなわち、第２出力ポート）及びポート「３」（すなわち、第３出力ポート）を備え、ポート「１」がフィルタに接続され、ポート「２」が光遅延干渉計Ｉに接続され、ポート「３」がカプラーを通過してそれぞれ光遅延干渉計Ｉ及び光遅延干渉計Ｑに接続され、
フィルタはバランス検出器１＃（すなわち、第１バランス検出器）の１つの入力ポートに接続され、光遅延干渉計Ｉの２つの出力ポートはバランス検出器２＃の２つの入力ポートに接続され、光遅延干渉計Ｑの２つの出力ポートはバランス検出器２＃の２つの入力ポートに接続され、
バランス検出器１＃、バランス検出器２＃は逆コーディングスイッチユニット、パラレル／シリアル変換ユニット、データ処理ユニットを順次通過して電気信号を出力し、
光遅延干渉計Ｉと光遅延干渉計Ｑとの位相シフト差はπ／２であり、
データ処理ユニットはループ制御ユニットによってそれぞれ光遅延干渉計Ｉ及び光遅延干渉計Ｑに接続される。
【００２２】
本実施例では、各デバイスの主なパラメータは以下の通りである。
【００２３】
１、低雑音高利得光増幅器は雑音係数≦４．５ｄＢ、利得≧４０ｄＢの１５５０ｎｍバンドの光増幅器であり、
２、光スイッチは１×３型１５５０ｎｍバンドの光学スイッチデバイスであり、変調フォーマットコマンドに応じて、入力された光信号をいずれかの指定された出力ポートにトランスペアレント伝送することができ、
３、フィルタは中心波長及びフィルタリング帯域幅がいずれも調整可能な１５５０ｎｍバンドのバンドパス光学フィルタであり、
４、光遅延干渉計Ｉ及び光遅延干渉計Ｑは１５５０ｎｍバンドの１−ｂｉｔ光遅延干渉計であり、
５、バランス検出器１＃及びバランス検出器２＃は１５５０ｎｍバンドの光バランス検出器である。
【００２４】
前記システムの構造についての説明をもとに、以下、該実施例を用いて信号受信を行う方法を説明し、具体的には、ステップ１〜９を含む。
【００２５】
１．制御コマンドユニットは必要な高速レーザー信号の変調フォーマットに応じて、対応する変調コマンドを光スイッチ、逆コーディングスイッチユニット、パラレル／シリアル変換ユニットに送信する。
【００２６】
２．低雑音高利得光増幅器は入力された１５５０ｎｍバンドの高速レーザー信号に対して雑音係数が４．５ｄＢ以下、電力利得が４０ｄＢ以上の光電力増幅を行い、高速レーザー信号を出力する。
【００２７】
３．光スイッチユニットはステップ１で発生した変調コマンドを受信すると、ステップ２で発生した１５５０ｎｍバンドの高速レーザー信号に対して出力ポート選択を行う。
具体的なプロセスは、受信した変調フォーマットコマンドがＩＭである場合、ポート「１」から出力され、受信した変調フォーマットコマンドがＢＰＳＫ、ＤＰＳＫのうちのいずれかである場合、ポート「２」から出力され、受信した変調フォーマットコマンドがＱＰＳＫ、ＤＱＰＳＫのうちのいずれかである場合、ポート「３」から出力されるステップを含む。
【００２８】
４．図１に示すように、多規格の互換性を備えた復調プロセスはステップ４．１〜４．３を含む。
【００２９】
４．１ＩＭ変調フォーマットの場合、フィルタはステップ３でポート「１」から出力された１５５０ｎｍバンドの高速レーザー信号に対してバンドパスフィルタリングを行い、帯域外雑音を除去して出力する。
【００３０】
４．２ＢＰＳＫ、ＤＰＳＫ変調フォーマットの場合、光遅延干渉計Ｉはステップ３でポート「２」から出力された１５５０ｎｍバンドの高速レーザー信号に対して１−ｂｉｔ遅延干渉復調を行い、位相変調情報を強度情報に変換して出力する。
【００３１】
４．３ＱＰＳＫ、ＤＱＰＳＫ変調フォーマットの場合、ステップ３でポート「３」から出力される１５５０ｎｍバンドの高速レーザー信号を、カプラーを経由して光遅延干渉計Ｉ及び光遅延干渉計Ｑに入力し、それぞれ１−ｂｉｔ遅延干渉復調を行い、位相変調情報を強度情報に変換して出力する。
【００３２】
なお、光遅延干渉計の原理は、具体的には、以下の通りである。
【００３３】
図２に示すように、光遅延干渉計（ＤＬＩ）は入力信号光を３ｄＢビームスプリッターで上下２つに分割し、一方は１つのシンボル時間Ｔｓ遅延し、他方の信号は１つの位相シフトφＤＬＩを得て、その後、これら２つの信号光はさらに１つの３ｄＢカプラーによって結合されて出力され、３ｄＢカプラーは結合された上下２つの光路の間に１つの１８０°の位相シフトを導入し、ＤＬＩの入力端子に信号Ｅｉｎ１を入力すると、ＤＬＩ出力端子は
【００３４】
【数１】
2021516519.tif 000003
【数２】
2021516519.tif 000004
を得て、入力信号の振幅をａ（ｔ）、変調位相をφ（ｔ）、レーザー装置の位相雑音をφｎｓ（ｔ）とすると、入力信号
【数３】
2021516519.tif 000005
がＤＬＩを通過して出力する光電力は、
【数４】
2021516519.tif 000006
【数５】
2021516519.tif 000007
で示され、ここで、Δφ（ｔ）＝φ（ｔ）−φ（ｔ−Ｔｓ）は隣接する２つのビットの変調位相差であり、Δφｎｓ（ｔ）＝φｎｓ（ｔ）−φｎｓ（ｔ−Ｔｓ）はレーザー装置の位相雑音による位相変化であり、位相変調の振幅を定数に維持すべきであり、すなわち、ａ（ｔ）＝ａ（ｔ-Ｔｓ）であり、電力表現式からわかるように、レーザー装置の位相雑音を無視する場合、ＤＬＩの出力信号によって位相変調情報Δφ（ｔ）を得ることができる。
【００３５】
図３に示すように、２つの光遅延干渉計を並列接続し、それぞれＩブランチ及びＱブランチとマークする場合、Ｉブランチ及びＱブランチの入力ライトフィールドが９０°位相差を有し、
【数６】
2021516519.tif 000008
である。上記ＤＬＩの伝送特性からわかるように、Ｉブランチの２つの出力ライトフィールドは、
【数７】
2021516519.tif 000009
であり、ここで、φＤＬＩ１はＩブランチのＤＬＩの位相シフト成分であり、この場合、上式に対応する光電流は、
【数８】
2021516519.tif 000010
で示され、Δφ（ｔ）及びΔφｎｓ（ｔ）はそれぞれ隣接する変調シンボル間の位相差及びレーザー源位相雑音による位相誤差を示し、バランス検出器で検出を行う時、２つのブランチの光電流を減算し、この場合、上式の前の２項が相殺し、最終的に出力光電流
【数９】
2021516519.tif 000011
を得る。同様な計算ステップによって、Ｑブランチに対してバランス検出器によって光電変換を行い、出力光電流
【数１０】
2021516519.tif 000012
を得る。ここで、
【数１１】
2021516519.tif 000013
はＱブランチのＤＬＩの位相シフト成分φ−π／２を示す。レーザー源の位相雑音の影響を無視する場合、出力光電流は、
【数１２】
2021516519.tif 000014
で示され、上記式からわかるように、Ｉブランチ及びＱブランチのＤＬＩの位相シフト成分
【数１３】
2021516519.tif 000015
及び
【数１４】
2021516519.tif 000016
を異なる値にするようにそれぞれ制御することで、直交位相変調の相関データ復調を実現することができ、この原理を利用して、２つの並列接続された１−ｂｉｔ光遅延干渉計に基づいて複数種の位相変調通信規格の互換性を備えた衛星高速レーザー信号の復調を実現し、例えば、
【数１５】
2021516519.tif 000017
及び
【数１６】
2021516519.tif 000018
の値をそれぞれ−π／４及び−５π／４とすると、ＤＱＰＳＫ変調方式の相関データ復調を実現することができる。
【００３６】
５．光電変換プロセスはステップ５．１〜５．３を含む。
【００３７】
５．１ＩＭ変調フォーマットの場合、ステップ４．１で発生した１５５０ｎｍバンドの高速レーザー信号をバランス検出器１＃により高速電気信号に光電変換して出力する。
【００３８】
５．２ＢＰＳＫ、ＤＰＳＫ変調フォーマットの場合、ステップ４．２で発生した復調後の高速レーザー信号をバランス検出器１＃により高速電気信号に光電変換して出力する。
【００３９】
５．３ＱＰＳＫ、ＤＱＰＳＫ変調フォーマットの場合、ステップ４．３で発生した復調後の高速レーザー信号をバランス検出器１＃及びバランス検出器２＃により高速電気信号に光電変換して出力する。
【００４０】
６．逆コーディングスイッチユニットはステップ１で発生した変調コマンドを受信すると、ステップ５で発生した高速電気信号に対して逆コーディング判断及び処理を行い、具体的なプロセスは、受信した変調フォーマットコマンドがＢＰＳＫ、ＱＰＳＫのうちのいずれかである場合、ステップ５で発生した高速電気信号に対して「排他的論理和」論理に基づく逆コーディング処理を行って出力するステップと、受信した通信規格コマンドがＩＭ、ＤＰＳＫ、ＤＱＰＳＫのうちのいずれかである場合、トランスペアレント伝送を行うステップと、を含む。
【００４１】
７．パラレル／シリアル変換スイッチユニットはステップ１で発生した変調コマンドを受信すると、ステップ６で発生した高速電気信号に対してパラレル／シリアル変換判断及び処理を行い、具体的なプロセスは、受信した変調フォーマットコマンドがＱＰＳＫ、ＤＱＰＳＫのうちのいずれかである場合、ステップ６で発生した２つのパラレル高速電気信号を１つのシリアル高速電気信号に変換して出力するステップと、受信した通信規格コマンドがＩＭ、ＢＰＳＫ、ＤＰＳＫのうちのいずれかである場合、トランスペアレント伝送を行う。
【００４２】
８．データ処理ユニットはステップ７で発生した高速電気信号に対してクロック抽出を行い、データ整形等の処理を行った後、品質が良好な復調後の高速電気信号を出力する。
【００４３】
９．ループ制御ユニットはステップ８で発生した高速電気信号をフィードバック制御信号とし、光遅延干渉計Ｉ及び光遅延干渉計Ｑの位相シフトを制御し、それらの位相差を終始π／２に維持し、それにより外部の熱、振動、光信号伝送経路の不整合等によって光遅延干渉計Ｉと光遅延干渉計Ｑとの位相差がπ／２の関係からずれることをよく回避し、さらに実際の生産作業に適用できる。
【００４４】
明らかなように、制御コマンドユニットは光スイッチ、光遅延干渉計Ｉ及び光遅延干渉計Ｑの位相差を制御することで、ＩＭ、ＢＰＳＫ、ＤＰＳＫ、ＱＰＳＫ、ＤＱＰＳＫの５種の変調フォーマットの互換性を備えた高速レーザー信号の復調を実現し、複雑な位相ロック機構が不要である。
【００４５】
前記実施例からわかるように、本発明に係る位相ロックフリー機構の多変調フォーマットの互換性を備えた高速レーザー信号受信の解決手段はＩＭ、ＢＰＳＫ、ＤＰＳＫ、ＱＰＳＫ、ＤＱＰＳＫの５種の変調フォーマットの互換性を備えた高速レーザー信号の受信及び復調を実現する。異なるパラメータの組合せを制御することで、コアデバイスの共有率を向上させ、通信システムの変調フォーマットの互換性を拡張し、さらにシステムの実現の複雑さ及び部品点数を大幅に低下させ、高速レーザー通信ネットワークの中継ノードに使用されると、互換性及び拡張性の向上を確保するだけでなく、従来のレーザー通信システムのアップグレードの価格及びリソースコストを削減させる。
【図１】
2021516519.tif 000019
【図２】
2021516519.tif 000020
【図３】
2021516519.tif 000021
【国際調査報告】
2021516519.tif 000022
2021516519.tif 000023
2021516519.tif 000024
2021516519.tif 000025